(57)【要約】液体であり、透明である腋窩製品と、前記腋窩製品を含有及び分配することができ、１１８ミリリットル以下のオーバーフロー容量を有し、透明である包装容器とを含む腋窩製品及び包装容器の組み合わせ。包装容器は塑性体から製造されてもよい。腋窩製品は、単一相又は多相溶液であってもよい。腋窩製品は、懸濁した又は分散した固体を含まなくてもよい。包装容器は、接触型又は非接触型のディスペンサーであってもよい。包装容器は、単一層又は多層の壁を有してもよい。
2005507725.tif 000002
【特許請求の範囲】
【請求項１】
（ａ）液体であり、透明である腋窩製品と、
（ｂ）前記腋窩製品を含有及び分配することができ、１１８ミリリットル以下のオーバーフロー容量を有し、透明である包装容器と
からなることを特徴とする、腋窩製品及び包装容器の組み合わせ。
【請求項２】
前記包装容器が塑性体から製造される、請求項１に記載の腋窩製品及び包装容器の組み合わせ。
【請求項３】
前記塑性体が、ポリオレフィン、ポリエステル、ナイロン、ビニル、アクリル、ポリカーボネート、ポリスチレン、及び／又はポリウレタン（polyeurothane）から成る群から選択される、請求項２に記載の包装容器。
【請求項４】
前記製品が単一相溶液である、請求項１に記載の腋窩製品及び包装容器の組み合わせ。
【請求項５】
前記製品が多相溶液である、請求項１に記載の腋窩製品及び包装容器の組み合わせ。
【請求項６】
前記製品が懸濁した又は分散した固体を含まない、請求項１に記載の腋窩製品及び包装容器の組み合わせ。
【請求項７】
前記包装容器が加圧接触型ディスペンサーである、請求項１に記載の腋窩製品及び包装容器の組み合わせ。
【請求項８】
前記包装容器が加圧非接触型ディスペンサーである、請求項１に記載の腋窩製品及び包装容器の組み合わせ。
【請求項９】
前記包装容器が単一層の壁を有する、請求項１に記載の腋窩製品及び包装容器の組み合わせ。
【請求項１０】
前記包装容器が多層の壁を有する、請求項１に記載の腋窩製品及び包装容器の組み合わせ。
【発明の詳細な説明】
【技術分野】
【０００１】
本発明は、包装容器との組み合わせによる腋窩製品に関し、人前で製品を携帯し且つ使用することが社会的にさらに受け入れられるようにし、従って一日を通じて製品の再適用の機会が増えるように、消費者の習慣及び慣行を再定義する。
【背景技術】
【０００２】
消費者製品産業は、世界の消費者に、消費者の要求を満たすように設計された多種多様なパーソナルケア製品を提供する。これらのパーソナルケア製品は、消費者の機能的要求を満たすだけでなく、また快い使用経験を創り出すように設計される。現代の女性消費者が利用できるパーソナルケア製品の数及び種類は膨大であり、機能的設計、審美的設計、及び使用目的、と広範囲に及ぶ。これらのパーソナルケア製品は数々の方法で分類され得る。例えば、製品は機能（洗浄、予防、治療、美容強化、知覚経験など）、形態（スプレー、クリーム、ローション、拭き取り用品、棒状、泡立ち石鹸など）、及び／又は使用目的（毛髪用、歯用、顔面の皮膚用、脚用、腋窩用、全身用）によって分類され得る。
【０００３】
定性的及び定量的な消費者研究を通じて、これらのパーソナルケア製品の各々に関連した具体的な、測定可能な習慣及び慣行があることが見出された。これらの習慣及び慣行には、使用頻度、使用するとき、製品の保管、複数使用、組み合わせ使用、並びにブランド、形態、香り、価格、及び小売り環境の選択が挙げられる。この例は、これらのパーソナルケア製品の特定のものを携帯するという消費者の習慣又は慣行であり、及び／又は人前でその製品を使用するという消費者の習慣又は慣行である。例えば、特定の化粧品は非常に頻繁に消費者に携帯され、よく人前で気楽に使用される。この例には、口紅及びコンパクトパウダーが挙げられる。これらの種類のパーソナルケア製品は、普通は一日の間に複数回再適用され、一般に人前で再適用される。これの別の例は、香水又はオーデコロンであり、これもまたよくユーザーに携帯され、一日の間に再適用され、及び人前で使用される。
【発明の開示】
【発明が解決しようとする課題】
【０００４】
再適用することが望ましいが、容易に、便利に、又は十分に望むように自由には達成され得ない腋窩製品のような他種類のパーソナルケア製品がある。多くの消費者は、一日を通じて「さっぱりする」こと、及び彼らの腋窩製品を適用／再適用することを望んでいる。この再適用は消費者をリフレッシュさせ、新鮮な芳香を充満させ、消費者の自信を回復させる。既にこうした再適用の習慣をもつ消費者もいるが、その製品を便利な場所（机の引出し、ロッカー、スポーツ用バッグ）に保管しなければならず、目立たない場所（トイレ、ロッカールーム、自宅）で適用／再適用するために、日常の業務を中断しなくてはならない。例えば、小型の缶型包装容器は扱いにくく、不恰好であり、一方スプレー型の腋窩製品は、現行で大部分は大きな、嵩高い、不恰好なエアゾール缶で包装されている。これらの型の包装では、ユーザーが製品をハンドバッグに入れて簡便に携帯できず、また人前で使用できるような様式にも設計されていない。金属缶の包装は、より小さいサイズが利用可能になったとしても、腋窩製品の使用目的を容易に連想させ、そのためにユーザーが製品を携帯する、又は必要に基づいて好きなだけ何回も製品を使用する意欲を減退させる。
【課題を解決するための手段】
【０００５】
本発明は、液体であり、透明である腋窩製品と、前記腋窩製品を含有及び分配することができ、１１８ミリリットル以下のオーバーフロー容量を有し、透明である包装容器とを含む腋窩製品及び包装容器の組み合わせを提供する。包装容器は塑性体で製造されてもよい。腋窩製品は、単一相又は多相溶液であってもよい。腋窩製品は、懸濁した又は分散した固体を含まなくてもよい。包装容器は、接触型又は非接触型のディスペンサーであってもよい。包装容器は、単一層又は多層の壁を有してもよい。
【０００６】
本発明の他利益及び新しい特徴は、本発明を実施するために考察される様々な様態を単に説明する以下の詳細な記述から、当業者に明白になるであろう。明らかなように、本発明は、すべて本発明から逸脱しない他の明白な異なる態様が可能である。それ故に、図面及び説明は本質的に説明のためのものであり、制限するものではない。
【発明を実施するための最良の形態】
【０００７】
腋窩製品（本明細書では制汗剤及び／若しくは防臭剤の効力を提供する、又は提供することを意図する製品として定義される）を、製品への認識を再度特徴付ける又は再構成するような様式に設計することが可能であることが最近見出された。具体的には、再適用の便利さ、容易さについての認識、人前で製品を携帯する及び使用することへの意欲を変えることができるということである。これらの認識を、包装容器のサイズ、形状、色、及び／又は構成材料により変えることが可能である。腋窩製品の場合には、消費者が快適に携帯し、人前で使用する香料／オーデコロン及びボディスプレーのような製品を典型的に連想する包装容器のサイズ、形状、色、及び／又は材料を選択することによって、消費者の認識は劇的に変わり得る。このようにして腋窩製品の認識を再構成すれば、消費者は単により自発的に人前で製品を携帯し、使用するだけでなく、製品の使用頻度を増加させ、及び制汗／防臭の利益を向上させるであろう。
【０００８】
われわれの仮説及び計画を検証するために消費者テストが行われた。第一に、消費者がパーソナルケア製品を携帯する意欲は、消費者が製品をどのような種類の製品と認識しているかに依存することが見出された。例えば、消費者は香水／オーデコロンよりスキンケア製品を、ボディスプレー／ミストより香料／オーデコロンを、及び腋窩製品よりボディスプレー／ミストを携帯することを好む。第二に、人前でパーソナルケア製品を使用する消費者の意欲はまた、消費者が製品をどのような種類の製品と認識しているかに依存することが見出された。例えば、消費者はスキンケア製品より香水／オーデコロンを、ボディスプレー／ミストよりスキンケア製品を、及び腋窩製品よりボディスプレー／ミストを使用することを好む。
【０００９】
下の表Ａに関し、消費者に二つの空の包装容器の組を見せた。第一の包装容器は標準的なアルミニウムの缶である。第二の包装容器は透明な塑性体の瓶である。次に、消費者にどの種類の製品がこれらの二つの包装容器内に存在すると考えるかを尋ねた。大部分の消費者（７８％）は、アルミニウムの缶は腋窩製品を含有すると認識する。一方、７２％の消費者が透明な塑性体の包装容器は香水／オーデコロン種の類の製品を含有すると認識した。興味深いことに、透明な塑性体の瓶が腋窩製品を含有すると考えた消費者は０％であった。
【００１０】
【表１】
2005507725.tif 000003
【００１１】
本明細書において「塑性体」という用語は、熱を適用して、又は適用せずに成形又は形作ることが可能な任意の物質又は材料として定義される。通常塑性体は、多くが高分子量の熱可塑性又は熱硬化性である、高級ホモポリマー又はコポリマーである。この定義に適合する塑性体には、ポリオレフィン、ポリエステル、ナイロン、ビニル、アクリル、ポリカーボネート、ポリスチレン、及びポリウレタン（polyeurothane）が挙げられるが、これらに限定されない。
【００１２】
本明細書において「透明」という用語は、背後にある本体が知覚できるように、感知できる散乱なく光を透過する特性を有することとして定義される。製品が透明か否かを決定する一つの基準を満たした試験方法は、包装容器の直後に設置された一連の言葉を読む試みである。言葉は、黒色、１４ポイントのタイムズ・ニュー・ローマン（Times New Roman）フォントで印刷され、白い紙に印刷され、紙の印刷面は包装容器の背面に取り付けられている。言葉及び／又は文字は、適正な視力をもち及び包装容器の真正面に位置した個人が包装容器の正面から、目に見える及び／又は読むことができるものでなければならない。
【００１３】
下の表Ｂに関し、消費者に、製品を含有する一組の透明な塑性体の瓶を見せた。第一の瓶は無色の液体を含有していた。第二の瓶は、溶解しない粉末（例えば、従来の腋窩製品粉末）を有する無色の液体を含有していた。われわれは次に、どの包装容器が次の各製品の種類に相当すると考えるかを尋ねた。どの包装容器が香水を含有するかと尋ねられたとき、大部分の消費者（９４％）は、香水／オーデコロンの種類の製品は透明な包装容器中の透明な液体のように見えると考える。興味深いことに、香水が何らかの粉末状物質を含有すると考えた消費者は０％であった。どの包装容器が腋窩製品を含有するかと尋ねられたとき、僅か８％の消費者が、透明な無色液体を含有する透明な塑性体包装容器が腋窩製品を含有すると考えた。よりさらには、どの包装容器がスキンケア製品を含有するかと尋ねられたとき、６２％の消費者が、粉末状物質を含有する包装容器を選択した。粉末状物質の存在（即ち無色液体だけでない）は、香水又はボディスプレーよりも腋窩製品又はスキンケア製品の機能であると普通は考えられているので、皮膚を処理する際により有効であると消費者は信じていることをこの傾向は示しているようである。
【００１４】
【表２】
2005507725.tif 000004
【００１５】
下の表Ｃに関して、われわれは消費者に、透明な製品を含有する一組の透明な塑性体の瓶を見せた。第一の瓶は、第二の瓶よりサイズが実質的に小さいことを除いては第二の瓶に実質的に類似している。次に、どの包装容器が次の各製品の種類に相当すると考えるかを尋ねた。どの包装容器が香水を含有するかと尋ねられたとき、大部分の消費者（８９％）は、香水／オーデコロンの種類の製品は、より小さい瓶に貯蔵されると考える。驚くべきことに、どの包装容器が腋窩製品を含有するかと尋ねられたとき、より小さい包装容器を選択した消費者は０％であった。
【００１６】
【表３】
2005507725.tif 000005
【００１７】
（包装容器の実施例）
本明細書は、本発明を特に指摘し及び明確に請求する請求項で完結されるが、好ましい実施形態についての次の説明を、同じ参照番号が同一の要素を特定する添付図面と共に理解することにより、本発明はよりよく理解されると考えられる。
透明な塑性体の包装容器の次の実施例及び実施形態は、本発明の範囲内にある分配包装容器のことを説明する。これらの実施例は単に説明の目的のために提供され、これら多くの変更が発明の精神から逸脱することなく可能であるため、本発明を制限することとして構成されているわけではない。
【００１８】
図１〜３１に示された実施例は、透明な腋窩製品を放出するのに適した透明な塑性体の包装容器を示している。図１は、包装容器１０、容器本体の開口部に取り付けられたバルブ（又は好適な閉鎖部）を有するように設計された容器本体２０（圧力を保持するのに好適である）、作動装置３０、オリフィス開口部４０、バルブ５０、ディップチューブ６０を図解し、図２ではオーバーキャップ７０を図解している。図３〜６は、図１の包装容器の追加的な図を示す。
【００１９】
図７は、包装容器１１０、容器本体の開口部に取り付けられたバルブ（又は好適な閉鎖部）を有するように設計された容器本体１２０（圧力を保持するのに好適である）、作動装置１３０、オリフィス開口部１４０、ディップチューブ１６０、カラー１８０を図解し、図８ではオーバーキャップ１７０を図解しているが、図９はバルブ１５０を示している。図１０〜１２は、図７の包装容器の追加的な図を示す。
【００２０】
図１３は、包装容器２１０、容器本体の開口部に取り付けられたバルブ（又は好適な閉鎖部）を有するように設計された容器本体２２０（圧力を保持するのに好適である）、作動装置２３０、ディップチューブ２６０を図解し、及び図１４ではオーバーキャップ２７０を図解しているが、図１５はバルブ２５０及びオリフィス開口部２４０を示している。図１６〜１８は、図１３の包装容器の追加的な図を示す。
【００２１】
図１９は、包装容器３１０、容器本体の開口部に取り付けられたバルブ（又は好適な閉鎖部）を有するように設計された容器本体３２０（圧力を保持するのに好適である）、作動装置３３０、ディップチューブ３６０、オリフィス開口部３４０、カラー３８０を図解し、及び図２０ではオーバーキャップ３７０を図解しているが、図２１はバルブ２５０を示している。図２２〜２４は、図１９の包装容器の追加的な図を示す。
【００２２】
図２５は、包装容器４１０、容器本体の開口部に取り付けられたバルブ（又は好適な閉鎖部）を有するように設計された容器本体４２０（圧力を保持するのに好適である）、作動装置４３０、ディップチューブ４６０、カラー４８０を図解しており、並びに図２６はバルブ４５０、及びオリフィス開口部４４０を示している。図２７〜２９は、図１９の包装容器の追加的な図を示す。
【００２３】
図３０は、包装容器５１０、容器本体の開口部に取り付けられたバルブ（又は好適な閉鎖部）を有するように設計された容器本体５２０（圧力を保持するのに好適である）、作動装置５３０、ディップチューブ５６０、シュラウド５８０、バルブ（示されず）、少なくとも一つのオリフィス開口部（示されず）を有する適用表面５４０、及びオーバーキャップ５７０を図解している。図３１は、図３０の包装容器の追加的な図を示す。
【００２４】
本発明の包装容器は接触型（例えば図１〜２９）又は非接触型（例えば図３０〜３１）ディスペンサーであるように設計されてもよい。接触型包装容器は、適用目標（例えば消費者の皮膚）に直接接触することになってもよい適用表面を有してもよい。非接触型包装容器は、腋窩製品を適用目標（例えば消費者の皮膚）にスプレーする又は他の類似の噴出方法を行うように設計されてもよい。
【００２５】
図３２及び３３は、腋窩製品を格納するのに好適な包装容器のサイズを図解している。この包装容器は１１８ミリリットル以下のオーバーフロー容量を有する。
【００２６】
本発明の包装容器は、射出ブロー成形、射出延伸ブロー成形、射出成形、又は押出成形が挙げられるが、これらに限定されない包装容器形成のいかなる様態により製造されてもよい。好適な塑性体の化学的及び機械的特性を有する透明な樹脂は、図３０及び３１に示されるサイズに成形され得る。図３０において、包装容器６００は、壁の厚さが０．０６ｃｍ（０．０２５インチ）を超える厚さを有する単一壁６１０と共に示されている。包装容器は、好適な機械的及び化学的特性を有する任意の透明な塑性体、例えばＧＥプラスチックス（GE Plastics）９９２１により供給されるポリエチレンテレフタレート（ＰＥＴ）、Ｍ＆ＧポリマーズＵＳＡ（M&G Polymers USA）により供給されるハイパータフ（Hypertuf）８６０１７、ＢＰ  ＵＳＡにより供給されるバレックス（Barex）、及び／又はグリボリーＥｍｓ（Grivory Ems）により供給されるナイロンＧ２１により製造されることができる。図３１では、包装容器７００が複数の壁７１０、７２０、７３０を有するとして示される。図３１は、様々な厚さを有する及び／又はその透明性を保持する複数の材料を組み合わせた複数の塑性体を使用し得る。図３１に用いられる材料は、追加的な機械的又は化学的特性を提供し得る。
【００２７】
（腋窩製品の実施例）
透明な塑性体の包装容器の次の実施例及び実施形態は、本発明の範囲内にある分配包装容器を説明する。これらの実施例は単に説明の目的のために提供され、これら多くの変更が発明の精神から逸脱することなく可能であるため、本発明を制限することとして構成されているわけではない。
【００２８】
本明細書に記載される包装容器は透明な液体である製品を放出するように設計されており、これは腋窩の臭気及び／又は湿気を減少させる。これらの製品は典型的には、製品の透明性を減少させる粒子状制汗剤活性物質、タルク、粘土などのようないかなる粉末も含まない。これらの液体製品は、単一相溶液及び多相溶液を含む様々な形態で存在することが可能である。多相溶液に基づく製品は、透明で安定なエマルションであるか、又は適用前に消費者が振盪しなければならない二つの透明な不混和性の層（この製品は振盪により透明になってもよいし、透明にならなくてもよい）のいずれかであることができる。
【００２９】
本発明に用いられる腋窩製品は、制汗剤及び／又は防臭剤の技術分野において既知のいかなる透明な液体製品を含んでもよい。典型的には、これらの製品はブタン、イソブタン、プロパン、ジメチルエーテル、１，１ジフルオロエタン、又はこれらの混合物のような噴射剤を含む。製品はまた化粧品分野において既知の任意の溶媒で構成され得る液相を含み、こうした溶媒には：水、エタノール、シクロペンタシロキサン、ジメチコーン、プロピレングリコール、又はその他の類似の溶媒が挙げられる。これらの製品はまた典型的には、液体製品に可溶性である防臭剤活性物質を含む。典型的な活性物質には、トリクロサン（triclosoan）、トリクロカルバン（triclorocarban）、フェノール硫酸亜鉛、又は任意のその他の既知の防臭剤活性物質が挙げられる。これらの製品はまた典型的には、発汗に関連した悪臭を消すのに有効な芳香剤を含有するか、又はそうでなければ所望の香料の芳香を有する組成物を提供する。有用な防臭剤活性物質及び芳香剤の例は、米国特許第５，９０２，５７２号に含まれる。
【００３０】
本発明の腋窩製品はまた、可溶化された制汗剤活性物質を含んでもよい。典型的には、これらの活性物質は、アストリジェント（astrigent）塩又はアルミニウム、ジルコニウム若しくは亜鉛であるが、いかなる既知の制汗剤活性物質も使用することができ、それには、アルミニウムクロロハイドレート、アルミニウムセスキクロロハイドレート、アルミニウムジルコニウムトリクロロハイドレート、及びアルミニウムジルコニウムテトラクロロハイドレートが挙げられるが、これらに限定されない。活性物質は、活性物質を溶解し得るいかなる溶媒にも可溶化することができ、これらにはエタノール、水、プロピレングリコール、グリセリン、ソルビトール、１，２ヘキサンジオール、１，２ペンタンジオール、及び１，２ブタンジオールを挙げることができるがこれらに限定されない。これらの製品はまた典型的には、シクロメチコーン、ジメチコーン、鉱油、ジメチコーンコポリオール、ジメチコノール（demethiconol）、又は所望の肌触りを提供するその他の溶媒のような化粧品溶媒を含有する。これらの製品はまた、芳香剤、防臭剤活性物質、又は皮膚保湿剤を包含することができる。こうした製品の例は、ＰＣＴ国際公開特許ＷＯ９６／１８３７８、米国特許第４０７３８８０号；米国特許第５８１４３０９号、米国特許第３５５５１４５号、並びに同時係属及び共有の米国特許出願第０９／８６４０１２号に開示されている。
【００３１】
以上、本発明の様々な実施形態を示し、記載したが、本発明の範囲を逸脱することなく当業者による適切な修正により、本明細書に記載されたような本発明の更なる適応をさせることができる。これらの可能性のある変更及び代替案については既に説明したものもあり、及びその他については当業者には明白であろう。例えば、発明システムの代表的な実施形態を説明の目的で論じたが、記載された要素は、技術的な進歩により絶えず更新され、及び改善されてもよいことを理解する必要がある。それ故に、本発明の範囲は以下の請求項に関して考察されるべきであり、明細書及び図面に示し、説明した構成、操作又は処理工程の詳細事項に限定されないことが理解される。
【図面の簡単な説明】
【００３２】
【図１】本発明による包装容器の平面図であり；
【図２】オーバーキャップを有する図１の包装容器の平面図であり；
【図３】図２の包装容器の右側正面図であり；
【図４】図２の包装容器の正面図であり；
【図５】図２の包装容器の左側正面図であり；
【図６】図２の包装容器の上面図であり；
【図７】本発明による別の包装容器の平面図であり；
【図８】オーバーキャップを有する図７の包装容器の平面図であり；
【図９】図８の包装容器の右側正面図であり；
【図１０】図８の包装容器の正面図であり；
【図１１】図８の包装容器の左側正面図であり；
【図１２】図８の包装容器の上面図であり；
【図１３】本発明による別の包装容器の平面図であり；
【図１４】オーバーキャップを有する図１３の包装容器の平面図であり；
【図１５】図１４の包装容器の右側正面図であり；
【図１６】図１４の包装容器の正面図であり；
【図１７】図１４の包装容器の左側正面図であり；
【図１８】図１４の包装容器の上面図であり；
【図１９】本発明による別の包装容器の平面図であり；
【図２０】オーバーキャップを有する図１９の包装容器の平面図であり；
【図２１】図２０の包装容器の右側正面図であり；
【図２２】図２０の包装容器の正面図であり；
【図２３】図２０の包装容器の左側正面図であり；
【図２４】図２０の包装容器の上面図であり；
【図２５】本発明による別の包装容器の平面図であり；
【図２６】図２５の包装容器の右側正面図であり；
【図２７】図２５の包装容器の正面図であり；
【図２８】図２５の包装容器の左側正面図であり；
【図２９】図２５の包装容器の上面図であり；
【図３０】本発明による別の包装容器の平面図であり；
【図３１】図３０の包装容器の別の平面図であり；
【図３２】図３２は、本発明による別の包装容器の断面図であり；及び
【図３３】多層を有する、図３２に類似した別の包装容器の断面図である。
【国際公開パンフレット】
2005507725.tif 000006
2005507725.tif 000007
2005507725.tif 000008
2005507725.tif 000009
2005507725.tif 000010
2005507725.tif 000011
2005507725.tif 000012
2005507725.tif 000013
2005507725.tif 000014
2005507725.tif 000015
2005507725.tif 000016
2005507725.tif 000017
2005507725.tif 000018
2005507725.tif 000019
2005507725.tif 000020
2005507725.tif 000021
2005507725.tif 000022
2005507725.tif 000023
2005507725.tif 000024
2005507725.tif 000025
2005507725.tif 000026
2005507725.tif 000027
2005507725.tif 000028
2005507725.tif 000029
2005507725.tif 000030
【国際調査報告】
2005507725.tif 000031
2005507725.tif 000032
2005507725.tif 000033